(57)【要約】      （修正有）【課題】手動式ブラインドを電動にする駆動構造を提供する。【解決手段】上フレーム１１側辺にスラット伝導ユニット１２を設置し、手動引きコード１２１により伝動輪１２２を駆動した後、伝動輪の軸管１２３と連結されたスラット１３の回転軸１３１を連動して、巻き取り、巻き戻しを可能にした手動式ブラインドの駆動機構に付設する手動式ブラインドを電動にする駆動構造であって、上フレーム１１に並設したフックフレーム２１内に、電動モーター２２を設置し、電動モーターの駆動輪２３とスラット伝導ユニット１２の伝動輪１２２とを相対させて、スラット伝導ユニットの手動引きコード及び外蓋を取り外した後、環形の引きコード３を駆動輪２３と伝動輪１２２間に懸架すると共に、対応するカバー１２４により閉塞して、電動モーターの回転駆動力を、駆動輪を介し伝動輪に伝動し、伝動輪と連結される軸管を介して回転軸を回転できるようにした。【選択図】図１
0003107113.tif 000002
【実用新案登録請求の範囲】
【請求項１】
上フレーム側辺に、スラット伝導ユニットを設置し、手動引きコードにより、伝動輪を駆動した後、前記伝動輪の軸管と連結されたスラットの回転軸を連動して、巻き取り、巻き戻しを可能にした手動式ブラインドの駆動機構に付設する手動式ブラインドを電動にする駆動構造であって、
前記上フレームに並設したフックフレーム内に、電動モーターを設置し、前記電動モーターの駆動輪と前記スラット伝導ユニットの前記伝動輪とを相対させて、前記スラット伝導ユニットの前記手動引きコード及び外蓋を取り外した後、環形の引きコードを前記駆動輪と前記伝動輪間に懸架すると共に、対応するカバーにより閉塞して、前記電動モーターの回転駆動力を、前記駆動輪を介し前記伝動輪に伝動し、伝動輪と連結される軸管を介して回転軸を回転できるようにしたことを特徴とする手動式ブラインドを電動にする駆動構造。
【請求項２】
手動式ブラインドを電動にする駆動構造であって、別体構成のスラット伝導ユニットの側方に、フックフレームを一体成形により形成すると共に、前記フックフレーム内に設置された電動モーターの駆動輪と伝動輪とを環形の引きコードにより連結してなり、前記スラット伝導ユニットは、前記手動式ブラインドの上フレーム側辺により連結され、前記伝動輪の軸管がスラットの回転軸と結合して、前記モーターの回転力を回転軸に伝動するようにしたことを特徴とする手動式ブラインドを電動にする駆動構造。
【請求項３】
前記駆動輪と前記伝動輪は、夫々チェンホイール構成とし、両チェンホイール間にチェーンを懸架して前記モーターの回転駆動力を、前記駆動輪を介して前記伝動輪に伝動するようにしたことを特徴とする請求項１又は２に記載の手動式ブラインドを電動にする駆動構造。
【請求項４】
前記駆動輪と前記伝動輪は、夫々皮ベルトホイール構成とし、両皮ベルトホイール間に皮ベルトを懸架して前記モーターの回転駆動力を、前記駆動輪を介して前記伝動輪に伝動するようにしたことを特徴とする請求項１又は２に記載の手動式ブラインドを電動にする駆動構造。
【請求項５】
前記駆動輪と前記伝動輪は、夫々ギア構成とし、両ギア間にギアベルトを懸架して前記モーターの回転駆動力を、前記駆動輪を介して前記伝動輪に伝動するようにしたことを特徴とする請求項１又は２に記載の手動式ブラインドを電動にする駆動構造。
【考案の詳細な説明】
【技術分野】
【０００１】
本考案は、手動式ブラインドを電動にする駆動構造に関するものであって、特に、駆動構造は、フックフレームによりブラインドの上フレームに掛合し、電動モーターの駆動輪は、スラット伝導ユニットの伝動輪に相対して、環形の引きコードにより駆動輪と伝動輪を連結し、ブラインドを電動駆動する駆動構造に関するものである。
【背景技術】
【０００２】
ブラインドは、従来、窓際に設置されて採光と遮光の効能を有する。一般のブラインドでは、上フレーム側の側辺にスラット伝導ユニットを設置してあり、ブラインドの操作中、手動引きコードにより伝動輪を駆動した後、伝動輪の軸管が直接、スラットの回転軸を連動して、巻き取りまたは巻き戻しをして、手動でブラインドを操作する目的を達成する。
【０００３】
この手動式ブラインドの操作方式は、手動引きコードによる「引き、緩め」の反復により行われるもので、手動引きコードは、操作が行いやすいように窓の一側下方に垂設されているが、環形を呈した吊り下げ状態の手動引きコードは、児童の頚部に絡む恐れがあり、居住空間の安全性に問題がある。更に、手動引きコードを操作する度に、ブラインドに近寄って操作しなければならないので、便利性に欠け、使用者の需要に符合しない。
【考案の開示】
【考案が解決しようとする課題】
【０００４】
本考案は、手動引きコードにより、伝動輪を駆動した後、前記伝動輪の軸管と連結されたスラットの回転軸を連動して、巻き取り、巻き戻しを可能にした手動式ブラインドの駆動機構に付設する手動式ブラインドを電動にする駆動構造を提供する。
【課題を解決するための手段】
【０００５】
本考案の請求項１に係る手動式ブラインドを電動にする駆動構造は、上フレーム側辺に、スラット伝導ユニットを設置し、手動引きコードにより、伝動輪を駆動した後、前記伝動輪の軸管と連結されたスラットの回転軸を連動して、巻き取り、巻き戻しを可能にした手動式ブラインドの駆動機構に付設する手動式ブラインドを電動にする駆動構造であって、前記上フレームに並設したフックフレーム内に、電動モーターを設置し、前記電動モーターの駆動輪と前記スラット伝導ユニットの前記伝動輪とを相対させて、前記スラット伝導ユニットの前記手動引きコード及び外蓋を取り外した後、環形の引きコードを前記駆動輪と前記伝動輪間に懸架すると共に、対応するカバーにより閉塞して、前記電動モーターの回転駆動力を、前記駆動輪を介し前記伝動輪に伝動し、伝動輪と連結される軸管を介して回転軸を回転できるようにしたことを特徴とする。
【０００６】
請求項２の考案は、手動式ブラインドを電動にする駆動構造であって、別体構成のスラット伝導ユニットの側方に、フックフレームを一体成形により形成すると共に、前記フックフレーム内に設置された電動モーターの駆動輪と伝動輪とを環形の引きコードにより連結してなり、前記スラット伝導ユニットは、前記手動式ブラインドの上フレーム側辺により連結され、前記伝動輪の軸管がスラットの回転軸と結合して、前記モーターの回転力を回転軸に伝動するようにしたことを特徴とする。
【０００７】
請求項３の考案は、請求項１又は２に記載の手動式ブラインドを電動にする駆動構造において、前記駆動輪と前記伝動輪は、夫々チェンホイール構成とし、両チェンホイール間にチェーンを懸架して前記モーターの回転駆動力を、前記駆動輪を介して前記伝動輪に伝動するようにしたことを特徴とする。
【０００８】
請求項４の考案は、請求項１又は２に記載の手動式ブラインドを電動にする駆動構造において前記駆動輪と前記伝動輪は、夫々皮ベルトホイール構成とし、両皮ベルトホイール間に皮ベルトを懸架して前記モーターの回転駆動力を、前記駆動輪を介して前記伝動輪に伝動するようにしたことを特徴とする。
【０００９】
請求項５の考案は、請求項１又は２に記載の手動式ブラインドを電動にする駆動構造において、前記駆動輪と前記伝動輪は、夫々ギア構成とし、両ギア間にギアベルトを懸架して前記モーターの回転駆動力を、前記駆動輪を介して前記伝動輪に伝動するようにしたことを特徴とする。
【考案の効果】
【００１０】
１）本考案の駆動構造は、手動式ブラインドに対応して配置されるもので、既に家に取り付けられている手動式ブラインドも、本考案により、手動式から電動式の操作が可能になり、手動式ブラインドを取り外す必要が無いので、コストが抑えられる。
２）本考案の駆動構造では、手動式ブラインドのスラット伝導ユニットに装着された後、窓の一側に垂設された手動引きコードを除去することが出来るので、手動引きコードによる危険性を排除でき、居住空間を更に安全なものにする。
３）本考案の駆動構造の電動モーターは、コントローラーによる制御を受けるので、操作時に使用者がブラインドの横に行く必要がなく、操作上の便利性を向上させる（或いは、ラインコントローラーにより操作使用する）。
【考案を実施するための最良の形態】
【００１１】
以下、添付図面を参照して本考案の好適な実施の形態を詳細に説明する。
【実施例１】
【００１２】
本考案の手動式ブラインドを電動にする駆動構造は、図１で示されるように、主に、手動式ブラインド１機構と駆動構造２からなり、手動式ブラインド１は、上フレーム１１側辺に、スラット伝導ユニット１２を設置し、手動引きコード１２１により、伝動輪１２２を駆動した後、伝動輪１２２の軸管１２３が直接、スラット１３の回転軸１３１を連動して、巻き取りまたは巻き戻しをする。
駆動構造２は、上フレーム１１に対応するフックフレーム２１内に、電動モーター２２を設置し、電動モーター２２が駆動輪２３と連接している。
【００１３】
上述の構造により、駆動構造２はフックフレーム２１により、手動式ブラインド１の上フレーム１１に連接配置し（図２で示される）、駆動輪２３をスラット伝導ユニット１２の伝動輪１２２に相対させる。そして、スラット伝導ユニット１２の手動引きコード１２１を、外蓋１２４を外して取り外した後、環形の引きコード３を駆動輪２３と伝動輪１２２との間に懸架し、更に、対応するカバー１４により閉塞されてなる。
【００１４】
これにより、本考案の実施時、駆動構造２の電動モーター２２の運転により、環形の引きコード３により伝動輪１２２を駆動し（電動モーター２２は電池蓋を設けて供電し、回路設計により、リモコン、ラインコントローラーに制御される）、伝動輪１２２は正転、反転の動作を生じて（図３，図４で示される）、スラット１３の回転軸１３１により、巻き取り、巻き戻しを実行し、手動式ブラインド１を電動操作用の電動式ブラインドに変更する目的を達成する。
【００１５】
前記構成によれば、装着が容易で、コストダウンが可能で、且つ、手動引きコード１２１が不要となるため、居住空間の安全性を向上させることが出来る。
【実施例２】
【００１６】
また、本考案の駆動構造２のもう一つの設計は、別体構成のスラット伝導ユニット２４の側方に、フックフレーム２５を一体成形により並設し（図５で示され、上下、或いは、左右の並列状態を呈する）、フックフレーム２５中の電動モーター２６の駆動輪２６１は、直接、環形の引きコード３により伝動輪２４１と連結してなり、手動式ブラインド１のスラット伝導ユニット１２を取り外した後、駆動構造２のスラット伝導ユニット２４を、上フレーム１１側辺から連結し、伝動輪２４１の軸管２４２が、直接、スラット１３の回転軸１３１に結合して、装着工程を更に容易にしたものである。
【実施例３】
【００１７】
更に、本考案の駆動構造２の駆動輪２６１と伝動輪２４１は、チェーンホイール４を採用し、チェーン４１により連結伝動させ（図６で示される）、動力の伝動を更に安定させる。
【実施例４】
【００１８】
更に、本考案の駆動構造２の駆動輪２６１と伝動輪２４１は、皮ベルトホイール５を採用し、皮ベルト５１により連結伝動させ（図７で示される）、生産コストを減少させ、組み立てが更に容易である。
【実施例５】
【００１９】
更に、本考案の駆動構造２の駆動輪２６１と伝動輪２４１は、ギア６を採用し、ギアベルト６１により連結伝動させ（図８で示される）、発生する動力の滑脱を防止する。
【図面の簡単な説明】
【００２０】
【図１】本考案の手動式ブラインドを電動にする駆動構造の第１実施例を示す要部の分解斜視図である。
【図２】図１の組み付け状態の斜視図である。
【図３】図１の動作を示す概略説明図である。
【図４】図１の組み付け操作状態を示す一部切断平面図である。
【図５】本考案の手動式ブラインドを電動にする駆動構造の第２実施例を示す要部の分解斜視図である。
【図６】本考案の手動式ブラインドを電動にする駆動構造の第３実施例を示す一部切欠き平面図である。
【図７】本考案の手動式ブラインドを電動にする駆動構造の第４実施例を示す要部の斜視図である。
【図８】本考案の手動式ブラインドを電動にする駆動構造の第５実施例を示す要部の分解斜視図である。
【符号の説明】
【００２１】
１…  手動式ブラインド
１１…上フレーム
１２、２４…スラット伝導ユニット
１２１…手動引きコード
１２２，２４１…伝動輪
１２３，２４２…軸管
１２４…外蓋
１３…スラット
１３１…回転軸
１４…カバー
２…  駆動構造
２１，２５…フックフレーム
２２，２６…電動モーター
２３…駆動輪
２６１…駆動輪
３…  環形の引きコード
４…  チェンホイール
４１…チェーン
５…  皮ベルトホイール
５１…皮ベルト
６…  ギア
６１…ギアベルト
【図１】
0003107113.tif 000003
【図２】
0003107113.tif 000004
【図３】
0003107113.tif 000005
【図４】
0003107113.tif 000006
【図５】
0003107113.tif 000007
【図６】
0003107113.tif 000008
【図７】
0003107113.tif 000009
【図８】
0003107113.tif 000010